(57)【要約】【課題】正座時の足の痺れ、甲部の痛みを防止、緩和する体圧分散性に優れた簡単な構造の新規な足甲部装着用パット及びその製造方法の提供。【解決手段】引張り強度が０．２５ＭＰａ以上、圧縮永久歪みが０．３％以下等の特性を有する発泡シリコーンゲルシートを用い、好ましくは、発泡シリコーンゲルシートの片面又は両面に伸縮性素材シートを、軟質フィルムを介在させて積層してなる、足甲部の上に直に装着して使用することのできる足甲部装着用パット。【選択図】図１
2006336163.tif 000002
【特許請求の範囲】
【請求項１】
発泡シリコーンゲルシートを用いることを特徴とする足甲部装着用パット。
【請求項２】
発泡シリコーンゲルシートの片面又は両面に伸縮性素材シートを積層してなることを特徴とする請求項１に記載の足甲部装着用パット。
【請求項３】
発泡シリコーンゲルシートと伸縮性素材シートの間に軟質フィルムを介在させて積層してなることを特徴とする請求項２に記載の足甲部装着用パット。
【請求項４】
発泡シリコーンゲルシートが、引張り強度（ＪＩＳ  Ｋ６２５１）が０．２５ＭＰａ以上、圧縮永久歪み（ＪＩＳ  Ｋ６４０１）が０．３％以下であることを特徴とする請求項１〜３のいずれか１項に記載の足甲部装着用パット。
【請求項５】
伸縮性素材が、編物（ニット）であることを特徴とする請求項２〜４のいずれか１項に記載の足甲部装着用パット。
【請求項６】
軟質フィルムが、硬度３０〜９０（ＪＩＳ  Ａ）のフィルムであることを特徴とする請求項３〜５のいずれか１項に記載の足甲部装着用パット。
【請求項７】
足甲部の上に直に装着して使用することを特徴とする請求項１〜６のいずれか１項に記載の足甲部装着用パット。
【請求項８】
予め伸縮性素材シートと軟質フィルムを積層したシートの軟質フィルム上に発泡剤を配合した原料シリコーンを積層し、硬化炉で発泡・硬化を行なうことを特徴とする請求項３〜７のいずれか１項に記載の足甲部装着用パットの製造方法。
【発明の詳細な説明】
【技術分野】
【０００１】
本発明は、足甲部用パット及びその製造方法に関し、詳しくは、正座時の足の痺れ、足甲部の痛みの防止、緩和目的のために利用できる足甲部装着用パット及びその製造方法に関する。
【背景技術】
【０００２】
従来より、正座時の足の痺れ防止、足甲部の痛み防止用の材料として、天然繊維、合成繊維、軟質合成樹脂等の様々な素材からなるパット及びパットの足甲部への装着方法が提案されている。例えば、足袋の甲部にクッション性パットを設ける方法（例えば、特許文献１参照。）、和装足袋の上面に軟圧パットを設ける方法（例えば、特許文献２参照。）、正座サポーターの足甲部、かかと部、くるぶし後部に緩衝材を設ける方法（例えば、特許文献３参照）が挙げられる。
しかしながら、上記の方法は、パット、緩衝材として用いる材料がいずれも充分な体圧分散機能を有しないものであるため、充分な足の痺れ防止、足甲部の痛み防止の効果を発揮するものではなく、広く市場に受け入れられている商品も見出されないでいた。
【特許文献１】特開平１０−８８４０４公報
【特許文献２】特開２００２−１７３８０３公報
【特許文献３】特開２００２−２４２０１１公報
【発明の開示】
【発明が解決しようとする課題】
【０００３】
本発明の目的は、このような背景を認識してなされなものであって、正座時の足の痺れ、甲部の痛みを防止、緩和する体圧分散性に優れた簡単な構造の新規な足甲部装着用パット及びその製造方法を提供することにある。
【課題を解決するための手段】
【０００４】
本発明者は、かかる課題を解決すべく鋭意検討した結果、発泡シリコーンゲルを伸縮性素材にラミネートした素材が体圧分散性に優れ、正座時の足の痺れ、甲部の痛みを防止、緩和することができることを見出し、本発明を完成させた。
【０００５】
すなわち、本発明の第１の発明によれば、発泡シリコーンゲルシートを用いることを特徴とする足甲部装着用パットが提供される。
【０００６】
また、本発明の第２の発明によれば、第１の発明において、発泡シリコーンゲルシートの片面又は両面に伸縮性素材シートを積層してなることを特徴とする足甲部装着用パットが提供される。
【０００７】
また、本発明の第３の発明によれば、第２の発明において、発泡シリコーンゲルシートと伸縮性素材シートの間に軟質フィルムを介在させて積層してなることを特徴とする足甲部装着用パットが提供される。
【０００８】
また、本発明の第４の発明によれば、第１〜３のいずれかの発明において、発泡シリコーンゲルシートが、引張り強度（ＪＩＳ  Ｋ６２５１）が０．２５ＭＰａ以上、圧縮永久歪み（ＪＩＳ  Ｋ６４０１）が０．３％以下であることを特徴とする足甲部装着用パットが提供される。
【０００９】
また、本発明の第５の発明によれば、第２〜４のいずれかの発明において、伸縮性素材が、編物（ニット）であることを特徴とする足甲部装着用パットが提供される。
【００１０】
また、本発明の第６の発明によれば、第３〜５のいずれかの発明において、軟質フィルムが、硬度３０〜９０（ＪＩＳ  Ａ）のフィルムであることを特徴とする足甲部装着用パットが提供される。
【００１１】
また、本発明の第７の発明によれば、第１〜６のいずれかの発明において、足甲部の上に直に装着して使用することを特徴とする足甲部装着用パットが提供される。
【００１２】
また、本発明の第８の発明によれば、予め伸縮性素材シートと軟質フィルムを積層したシートの軟質フィルム上に発泡剤を配合した原料シリコーンを積層し、硬化炉で発泡・硬化を行なうことを特徴とする第３〜７のいずれかの発明の足甲部装着用パットの製造方法が提供される。
【発明の効果】
【００１３】
本発明の足甲部装着用パットは、体圧分散性、耐久性、通気性並びに装着感に優れる足甲部装着用パットの経済的な生産を可能とするパットである。
【発明を実施するための最良の形態】
【００１４】
本発明の足甲部装着用パットは、発泡シリコーンゲルシートを用いることを特徴とするものである。発泡シリコーンゲルシートを用いることにより、正座時の足の痺れ、甲部の痛みを防止することができる。
また、本発明の足甲部装着用パットは、発泡シリコーンゲルシートの片面、又は両面に伸縮性素材シートを積層した積層体として用いても良い。積層体の一実施態様を図で具体的に説明する。図１は、本発明の足甲部用パットの積層体の断面を示す図であり、図２は、本発明の足甲部用パットを足に装着した図である。
【００１５】
図１及び２において、足甲部用パット１は、発泡シリコーンゲルシート２と伸縮性素材シート３の積層体であり、足甲部４に直に載せ、装着帯５等により装着される。装着帯４は、特に限定されず、パット表面の伸縮性素材シートの一方の面に縫い代６で取り付けられ、マジックテープ（登録商標）７等で固定できる。
本発明の足甲部用パットは、図２に示すように足甲部の上に直に装着することができ、その上から靴下、足袋等を履くことができるので、正座時の足の痺れ、甲部の痛みの防止、緩和効果を有し、かつ、通気性並びに装着感、外観が良い効果を有する。
なお、本発明の足甲部装着用パットは、発泡シリコーンゲルシートのみを用いる場合や発泡シリコーンゲルシートの片面、又は両面に伸縮性素材シートを積層した積層体として用いる場合に、特に装着帯等を設けないで、靴下、足袋等の内側に付けても何ら問題なく使用できる。
【００１６】
本発明で用いるシリコーンゲルは、例えば、ジオルガノポリシロキサンとオルガノハイドロジェンポリシロキサンの混合物を、白金系触媒等の存在下に硬化させることにより得られる付加反応型シリコーンコポリマーからなるシリコーンゲルを発泡させたものを用いることができる。発泡方法としては、原料の混合時に発泡剤を加え硬化時に発泡させる方法、発泡媒体として塩化ナトリウムを添加してゲル化後、塩化ナトリウムを溶出除去する方法等の公知の方法を用いることができる。
また、本発明で用いる発泡シリコーンゲルシートは、圧縮永久歪（ＪＩＳ  Ｋ６４０１に準じる）が０．３％以下、引っ張り強度（ＪＩＳ  Ｋ６２５１に準じる）が０．２５ＭＰａ以上、比重は０．２〜０．３の範囲、厚みは３ｍｍ〜５ｍｍであることが好ましい。それぞれの値が上記範囲外であると、正座時の足の痺れ、甲部の痛みの防止、緩和効果及び装着感等が不十分である。また、発泡体としては、連続気泡を有する発泡体が好ましい。連続気泡を有することにより、通気性が付与され、パットとして使用するに当たり、むれ等が生じなく爽快感を有するようになる。
発泡シリコーンゲルシートとしては、例えば、株式会社ジェルテック製の製品名「ＮＰゲルシート」が適用し得る。このような物性を有することにより、本発明のパットは、軽くて、へたりにくく、外周の縫製加工を要しない特徴を有する。
【００１７】
本発明の積層体の足甲部用パットに用いる伸縮性素地シートとしては、伸縮性に優れるとともに、伸縮方向の規制のないものであることが好ましい。具体的には、編物（ニット）や不織布等が好適に適用でき、編物としては、トリコット、ラッセル、天竺（平編み）、フライス（ゴム編み）、スムース（両面編み）等から選ばれた伸縮性を有する編物を挙げることができる。また材質としては、通常布地に用いられる綿、絹等の天然繊維、ナイロン、ポリエステル等の化学繊維が用いられるが、布地に成形加工を施す場合、熱可塑性のある化学繊維が混入されていることが好ましい。そして更にその表面は起毛されていてもよい。また不織布としては抄紙型、ウエブ型のいずれも使用可能であるが、裁断が容易で軽く、特にほつれる心配のないウエブ型が好適である。
市販品としては、例えば、東レ株式会社製の製品名「ナイロン天竺２００」等を用いることができる。本発明のパットにおいては、ニットシートのラミネートを行なうことで、通気性並びに装着感が良くなり、併せて装着帯４の縫い代を確保できる。
【００１８】
本発明の足甲部用パットの積層体は、発泡シリコーンゲルシートと伸縮性素材シートとを積層して得られる。積層方法としては、接着剤を用いる方法、熱融着する方法、シリコーンゲルシートの発泡と同時に熱融着する方法等、特に制限無く公知の方法を用いることができる。これらの中では、シリコーンゲルシートの発泡と同時に軟質フィルムを介して伸縮性素材シートとを積層する方法が好ましい。
例えば、剥離シートであるポリエチレンテレフタレートフィルム（ＰＥＴフィルム）等で発泡剤を配合した原料シリコーンを挟み、ロール間を通してシート状に広げた後、硬化炉で発泡・硬化を行なう発泡シリコーンゲルシートの成形方法において、予め伸縮性素材シートと軟質フィルムを積層し、該積層シートの伸縮性素材シート側とＰＥＴフィルムとを仮留め状態にラミネートし、該積層シートの軟質フィルム側に発泡剤を配合した原料シリコーン層を挟み、硬化炉で発泡・硬化を行なった後、剥離シートを引き剥がして得る方法を用いることができる。
ここで、伸縮性素材シートと軟質フィルムの積層は、伸縮素材シートを樹脂でコーティングする方法であっても、熱融着させる方法であっても良い。また、軟質フィルムとしては、硬度３０〜９０（ＪＩＳ  Ａ）、厚さ５０〜２００μｍのフィルムが好ましく、例えば、ウレタンフィルム等を挙げることができ、具体的な市販品としては、日本マタイ株式会社製の「エスマーＵＳＲ（製品名）」等を用いることができる。
なお、伸縮性素材シート側とＰＥＴフィルムとの仮留め状態とは、伸縮性素材シートが破損することなくＰＥＴフィルム等が容易に剥離できる状態を言う。
【００１９】
次いで、この伸縮性素材シートでラミネートした発泡シリコーンゲルシートを適当なサイズ、形状に型抜きし、必要に応じて、装着帯等の装着具を縫着し足甲部装着用パットを得る。
本発明の積層体の足甲部用パットは、上記の製造方法で得られることにより、伸縮性のニットシートでラミネートした発泡シリコーンゲルシートを型抜きしたままで、外周の縫製加工を施さないで用いることができ、引張強度に優れ、縫製加工を行なわなくとも外周端面が破損することはない。したがって、縫製加工費がかからず、ユーザ（使用者）が適切な大きさ形状に切り出すことでシート状での提供が可能である。
【実施例】
【００２０】
本発明を以下に実施例を示して具体的に説明するが、本発明はその要旨を逸脱しない限りこれら実施例によって制約を受けるものではない。
（実施例１）
厚さが３ｍｍ、圧縮永久歪（ＪＩＳ  Ｋ６４０１）が０．２％、比重が０．２６、引張強度（ＪＩＳ  Ｋ６２５１）が０．３２ＭＰａ、ヤング率（ＪＩＳ  Ｋ７１１３）が２６９．５ｋＰａの発泡シリコーンゲルシート（株式会社ジェルテック製ＮＰゲル）の両面に硬度３０（ＪＩＳ  Ａ）、厚さ５０μｍのウレタンフィルム（日本マタイ株式会社製エスマーＵＳＲ）を介して、ナイロン製ニット（東レ株式会社製天竺２００）を積層し、装着具を縫着して足甲部装着用パットを得た。
得られたパットを足に装着し、１時間正座したが、何ら足の痺れ、足甲部の痛みは生じなかった。
【産業上の利用可能性】
【００２１】
本発明の足甲部装着用パットは、体圧分散性、耐久性、通気性並びに装着感に優れる足甲部装着用パットの経済的な生産を可能とするパットであるので、好適に用いることができる。
【図面の簡単な説明】
【００２２】
【図１】本発明の足甲部装着用パットの積層構造の断面図である。
【図２】本発明の足甲部装着用パットの使用状態を示す斜視図である。
【符号の説明】
【００２３】
１  足甲部装着用パット
２  発泡シリコーンゲルシート
３  ニットシート
４  足甲部
５  装着帯
６  縫い代
７  マジックテープ（登録商標）
【図１】
2006336163.tif 000003
【図２】
2006336163.tif 000004